(57)【要約】      （修正有）【課題】油引きの部分と取っ手の部分が簡単に取り外せて、油引きの部分を毎回新品と取り替える事ができる使い捨て油引きを提供する。【解決手段】キッチンペーパー等を丸め、この丸めたキッチンペーパーを別のキッチンペーパー等で包み込んで油引き部分とする。この油引きを円筒２に入れ、油引きの丸めた部分を円筒下部に出す。円筒上部にはみ出したキッチンペーパー等の端を円筒上部の外周に折り返す。次に、円筒２の中に別の円筒３を差し込み油引きを固定する。外側にリング４をはめて、固定する方法もある。この構成により、油を引く部分と取っ手の部分が分離するので、簡単に取り付け、取り外しが出来る。又、経済的なキッチンペーパー等なので毎回新しい油引きが使用出来る。【選択図】図２
2011189103.tif 000002
【特許請求の範囲】
【請求項１】
キッチンペーパー等を丸め、この丸めたキッチンペーパー等を、別のキッチンペーパー等で包み込む。これを油引きの部分とする。この油引きを、第１の円筒に入れ、油引きの丸めた部分を円筒下部に出す。円筒上部にはみ出したキッチンペーパー等の端を円筒上部の外周に折り返し、紐やゴム等で固定した使い捨て油引き。
【請求項２】
第１の円筒の中に第２の円筒を差し込み油引き部分を固定させた、円筒と油引きが一体化している使い捨て油引き。
【請求項３】
第１の円筒の外側にリングをはめ、第１の円筒とリングでキッチンペーパー等をはさむことにより円筒と油引きが一体化している使い捨て油引き。
【請求項４】
２つの多角形の筒体で油引き部分を挟み、筒体と油引きが一体化している使い捨て油引き。
【請求項５】
本発明品は小物であるため紛失する怖れがあるので、第１と第２の筒体をくさりでつないだり、また、フックを取り付けて掛けたり、マグネットを円筒の一部に取り付け、壁面等に貼り付けると便利である。
【発明の詳細な説明】
【技術分野】
【０００１】本発明は、一般家庭の調理に使用する油を引くための道具に関するものである。
【背景技術】
【０００２】従来は、油引き部分の取り外しが出来ないものが主流であり、また、取り外しが出来るものでも替え糸部分を洗浄するには手間がかかる上に完全にきれいにする事は出来なかった。そのために使用回数が多くなり、油引き部分に黒ずみが生じて衛生的でなかった。
【発明の概要】
【発明が解決しようとする課題】
【０００３】解決しようとする問題点は、油引き部分の取り外しが出来ないものが主流であり、取り外しが出来るものでも替え糸部分を洗浄するには手間がかかる上に完全にきれいにする事は出来なかった。そのために使用回数が多くなり、油引き部分に黒ずみが生じて衛生的でなかった。
本発明は、これらの欠点をなくすためになされたものである。
【課題を解決するための手段】
【０００４】本発明は、調理用油を吸収し、且つ、経済的な１枚目のキッチンペーパー等を丸め、この丸めたキッチンペーパー等を、２枚目のキッチンペーパー等で、てるてる坊主のように包み込む。これを油引きの部分とする。【０００５】この油引きを、第１の円筒に入れ、油引きの丸めた部分を円筒下部に出す。円筒上部にはみ出した２枚目のキッチンペーパー等の端を円筒上部の外周に折り返す。【０００６】次に紐あるいはゴム等により第１の円筒と折り返したキッチンペーパー等の端を固定して油引きとする。【０００７】第１の円筒の中に第２の円筒を差し込み油引きを固定させ、この円筒を油引きの取っ手とする。第２の円筒を差し込む以外に、第１の円筒の外側にリングをはめる方法もある。いずれの場合もキッチンペーパー等をはさむ事により油引きの部分が固定化し、円筒と油引きが一体化する。本発明は、以上の構成によりなる使い捨て油引きである。
【発明の効果】
【０００８】経済的な油引き部分と油引きの取っ手の部分が簡単に取り付け、取り外す事が出来るために、油引き部分の使い捨てが可能となり、常に新しい油を使用出来るので衛生的で、油の劣化も防げる。
以上の本発明により、従来の欠点が解消できる。
【図面の簡単な説明】
【０００９】
【図１】油引きの斜視図（実施例１）
【図２】油引きの斜視図（実施例２）
【図３】油引きの斜視図（実施例３）
【図４】油引きの斜視図（実施例３）
【図５】第１の円筒の種類
【図６】第２の円筒の種類
【発明を実施するための形態】
【００１０】以下、本発明の実施の形態について説明する。
【実施例１】図１に基づいて実施例１を説明する。【００１１】調理用油を吸収し、且つ、経済的な１枚目のキッチンペーパー等を丸め、この丸めたキッチンペーパー等を、２枚目のキッチンペーパー等で、てるてる坊主のように包み込む。これを油引きの部分〔図１−１ａ〕とする。【００１２】この油引きを、第１の円筒〔図１−２〕に入れ、油引きの丸めた部分を円筒下部に出す。円筒上部にはみ出した２枚目のキッチンペーパー等の端〔図１−１ｂ〕を円筒上部の外周に折り返す。【００１３】円筒上部の外周に折り返した２枚目のキッチンペーパー等の端〔図１−１ｂ〕を紐やゴム等で円筒に固定し、油引きとする。【００１４】第１の円筒の種類として、〔図５〕に示す形状がある。
【実施例２】図２に基づいて実施例２を説明する。【００１５】実施例１の油引きの部分。〔図１−１ａ〕を、第１の円筒〔図１−２〕に入れ、油引きの丸めた部分を円筒下部に出す。円筒上部にはみ出した２枚目のキッチンペーパー等の端〔図１−１ｂ〕を円筒上部の外周に折り返す。第１の円筒〔図２−２〕の中に第２の円筒〔図２−３〕を差し込み油引きを固定させる。この円筒を油引きの取っ手とする。
【実施例３】図３、図４に基づいて実施例３を説明する【００１６】実施例１の油引きの部分〔図１−１ａ〕を、第１の円筒〔図１−２〕に入れ、油引きの丸めた部分を円筒下部に出す。円筒上部にはみ出した２枚目のキッチンペーパー等の端〔図１−１ｂ〕を円筒上部の外周に折り返す。第１の円筒〔図３−２〕の外側にリング〔図３−４〕をはめ油引き部分を固定する。又、蓋付きキャップ〔図４−５〕を被せる方法もある。【００１７】実施例２，３は、第１と第２の円筒の間にキッチンペーパー等をはさむ事により油引きの部分が固定し、円筒と油引きが一体化している使い捨て油引きである。この構成により、油を引く部分と油を引く取っ手部分の取り付け、取り外しが簡単に出来る。【００１８】本実施例では、円筒で説明したが、三角筒、角筒、楕円筒等、油引きの部分を固定できる形状であれば円筒形にこだわるものではない。又、〔図５〕、〔図６〕に円筒の様々な種類の形状を掲載しているが、これらの形状に限定するものではない。【００１９】本発明は素材にこだわるものではなく、食品衛生上安全な素材であればよい。【００２０】本発明品は小物であるため紛失する怖れがあるので、第１と第２の筒体をくさり等でつないだり、また、フックを取り付けて掛けたり、マグネットを円筒の一部に取り付け、壁面等に貼り付けると便利である。
【符号の説明】
【００２１】１ａ  油引きの部分
２    第１の円筒
１ｂ  キッチンペーパー等の端部
３    第２の円筒
４    リング
５    蓋付きキャップ
【図１】
2011189103.tif 000003
【図２】
2011189103.tif 000004
【図３】
2011189103.tif 000005
【図４】
2011189103.tif 000006
【図５】
2011189103.tif 000007
【図６−１】
2011189103.tif 000008
【図６−２】
2011189103.tif 000009